(57)【要約】【課題】オペレータの判断に依存しないコークスの押詰まりに関する定量的判断をすること。【解決手段】本発明のコークスの押出負荷の予測方法は、オフラインでの実験により作成したデータベース型モデルに、現在のコークス炉の操業情報を入力し、コークスの収縮量およびコークスの粒度を予測するコークスの収縮量・粒度予測ステップと、過去の操業データにより作成したデータベース型モデルに、コークスの収縮量・粒度予測ステップにより得られたコークスの収縮量およびコークスの粒度と、コークス炉の炉壁状況を数値化したものとを入力し、コークスの押出負荷を予測する押出負荷予測ステップとを有する。【選択図】図６
2013112714.tif 000002
【特許請求の範囲】
【請求項１】
オフラインでの実験により作成したデータベース型モデルに、現在のコークス炉の操業情報を入力し、コークスの収縮量およびコークスの粒度を予測するコークスの収縮量・粒度予測ステップと、
過去の操業データにより作成したデータベース型モデルに、前記コークスの収縮量・粒度予測ステップにより得られたコークスの収縮量およびコークスの粒度と、前記コークス炉の炉壁状況を数値化したものとを入力し、コークスの押出負荷を予測する押出負荷予測ステップと、
を有することを特徴とするコークスの押出負荷の予測方法。
【請求項２】
前記現在のコークス炉の操業情報は、原料の成分、原料の水分、乾留時間、炉温、及び装炭量を含むことを特徴とする請求項１に記載のコークスの押出負荷の予測方法。
【請求項３】
前記コークス炉の炉壁状況は、実際の操業に用いられているコークス炉のカーボン付着、炉壁削れ、及び炉壁張出を含むことを特徴とする請求項１または２に記載のコークスの押出負荷の予測方法。
【請求項４】
請求項１〜３の何れか一つに記載のコークスの押出負荷の予測方法によりコークスの押出負荷の予測をするステップと、
前記コークスの押出負荷の予測の基礎となった乾留時間を変更してコークスの押出負荷の予測の再計算を行うステップと、
前記再計算によるコークスの押出負荷が所定値以下、且つ、前記再計算の基礎となった乾留時間が許容範囲内である場合に、該乾留時間を新たな操業スケジュールとしてスケジュールの変更を行うステップと、
を含むことを特徴とする操業スケジュールの決定方法。
【発明の詳細な説明】
【技術分野】
【０００１】
本発明は、コークス炉におけるコークスの押出負荷の予測方法および操業スケジュールの決定方法に関する。
【背景技術】
【０００２】
コークス炉では、隣り合う複数の炭化室に順次石炭を装入し、各炭化室において１１００℃前後の高温で乾留を行い、乾留によって生成されたコークスを押出機によって各炭化室から押し出すことにより、コークスが製造される。このようなコークス炉では、稼動年数が長くなるにつれて、炉壁の損耗などが進み、乾留後のコークス（以下、コークスケーキとも称する）が炉壁の凹凸部にトラップされることによって、炭化室からコークスが円滑に押し出されないという、いわゆる押詰まりの問題が発生する。
【０００３】
コークス炉における装炭、乾留、および押出などの作業のスケジュールは厳密に管理されている。このため、一部の炭化室で押詰まりが発生し、補修のために燃焼室の温度を下げると、隣接する炭化室の温度が低下し、さらにその温度低下が周囲の炭化室に伝搬していくという悪循環が生じ、コークス炉全体の稼働率及び生産性に多大な悪影響を及ぼす。従って、押詰まりが発生することを抑制するために、炭化室に装入する石炭の性状，炉壁の状況，操業条件などを考慮して炭化室からコークスを押し出す際に必要な押出力を予測することが重要である。
【０００４】
このような背景から、コークスの乾留時間の測定に係る技術（特許文献１参照）、コークスの原料の最適化に係る技術（特許文献２参照）、コークス炉の炉温の制御に係る技術（特許文献３参照）、及びコークス炉の炉壁診断に係る技術（特許文献４参照）等が発展している。
【先行技術文献】
【特許文献】
【０００５】
【特許文献１】特開平１１−１２４５８４号公報
【特許文献２】特開２０００−３０３０７０号公報
【特許文献３】特開平９−３０２３５０号公報
【特許文献４】特開２００８−２４８０２５号公報
【発明の概要】
【発明が解決しようとする課題】
【０００６】
しかしながら、上記した従来技術では、炉温等の操業情報および炉壁等の設備情報を個別に管理していたので、コークスの押詰まりに関する定量的判断ができなかった。つまり、コークスの押詰まりが発生するか否かの判断は、コークス炉の操業者（オペレータ）の判断に依存していた。
【０００７】
本発明は、上記に鑑みてなされたものであって、その目的は、操業者（オペレータ）の判断に依存しないコークスの押詰まりに関する定量的判断を行うコークスの押出負荷の予測方法、およびその定量的判断に基づいた操業スケジュールの決定方法を提供することにある。
【課題を解決するための手段】
【０００８】
上述した課題を解決し、目的を達成するために、本発明のコークスの押出負荷の予測方法は、オフラインでの実験により作成したデータベース型モデルに、現在のコークス炉の操業情報を入力し、コークスの収縮量およびコークスの粒度を予測するコークスの収縮量・粒度予測ステップと、過去の操業データにより作成したデータベース型モデルに、前記コークスの収縮量・粒度予測ステップにより得られたコークスの収縮量およびコークスの粒度と、前記コークス炉の炉壁状況を数値化したものとを入力し、コークスの押出負荷を予測する押出負荷予測ステップと、を有することを特徴とする。
【０００９】
上述した課題を解決し、目的を達成するために、本発明の操業スケジュールの決定方法は、上記コークスの押出負荷の予測方法によりコークスの押出負荷の予測をするステップと、前記コークスの押出負荷の予測の基礎となった乾留時間を変更してコークスの押出負荷の予測の再計算を行うステップと、前記再計算によるコークスの押出負荷が所定値以下、且つ、前記再計算の基礎となった乾留時間が許容範囲内である場合に、該乾留時間を新たな操業スケジュールとしてスケジュールの変更を行うステップと、を含むことを特徴とする。
【発明の効果】
【００１０】
本発明にかかるコークスの押出負荷の予測方法によれば、操業者（オペレータ）の判断に依存しないコークスの押詰まりに関する定量的判断をすることができるという効果を奏する。そして、本発明にかかる操業スケジュールの決定方法によれば、操業者（オペレータ）の判断に依存しないコークスの押詰まりに関する定量的判断に基づいて、操業スケジュールの決定を行うことができるという効果を奏する。
【図面の簡単な説明】
【００１１】
【図１】図１は、本発明の一実施形態であるコークスの押出負荷の予測方法の対象となるコークス炉の構成を示す斜視図である。
【図２】図２は、本発明の一実施形態であるコークスの押出負荷の予測方法を実現するコークス押出力予測装置の構成を示すブロック図である。
【図３】図３は、コークスの押出負荷を支配する因子の因果関係を示す図である。
【図４】図４は、コークス収縮量・性状（粒度）の予測のためのデータベース型モデルの例である。
【図５】図５は、コークスの押出負荷の予測のためのデータベース型モデルのデータテーブルの例である。
【図６】図６は、本発明の一実施形態であるコークスの押出負荷の予測方法を示すフローチャートである。
【図７】図７は、予測されたコークスの押出負荷に基づき判断を行う操業スケジュールの変更方法を示すフローチャートである。
【発明を実施するための形態】
【００１２】
以下、図面を参照して、本発明の一実施形態であるコークスの押出負荷の予測方法について説明する。
【００１３】
〔コークス炉の構成〕
始めに、図１を参照して、本発明の一実施形態であるコークスの押出負荷の予測方法の対象となるコークス炉の構成について説明する。但し、本発明の一実施形態であるコークスの押出負荷の予測方法の対象となるコークス炉は、図１に示す構成に限定されることはない。
【００１４】
図１は、本発明の一実施形態であるコークスの押出負荷の予測方法の対象となるコークス炉１の構成を示す斜視図である。図１に示すように、コークス炉１は、複数の炭化室２及び燃焼室３を有する。各炭化室２の天井部には、上昇管４および装炭口５が形成されている。
【００１５】
複数の装炭口５は、コークス炉１の上部を走行する装炭車６によって運ばれた石炭を炭化室２内に装入するためのものである。押出機７は、乾留後にコークスを炭化室２から押し出す装置である。炭化室２から押し出されたコークスは、ガイド車８を経て消火車９に受け渡され、消火車９によって搬出される。炭化室２は、押出機７の押出ラム１０が挿入される入側窯口と赤熱コークスが押し出される出側窯口とを有する。上昇管４は、炭化室２内で乾留中の石炭から発生する発生ガスを回収する回収ラインである。
【００１６】
〔コークス押出力予測装置の構成〕
次に、図２を参照して、本発明の一実施形態であるコークスの押出負荷の予測方法を実現するコークス押出力予測装置の構成について説明する。
【００１７】
図２は、本発明の一実施形態であるコークスの押出負荷の予測方法を実現するコークス押出力予測装置の構成を示すブロック図である。図２に示すように、本発明の一実施形態であるコークスの押出負荷の予測方法を実現するコークス押出力予測装置１００は、情報処理装置１０１，入力装置１０２，出力装置１０３，及びデータベース（ＤＢ）１０４を主な構成要素として備えている。
【００１８】
情報処理装置１０１は、パーソナルコンピュータやワークステーション等の汎用の情報処理装置によって構成され、ＲＡＭ１１１，ＲＯＭ１１２，及びＣＰＵ１１３を備えている。ＲＡＭ１１１は、ＣＰＵ１１３が実行する処理に関する制御プログラムや制御データを一時的に記憶し、ＣＰＵ１１３のワーキングエリアとして機能する。ＲＯＭ１１２は、情報処理装置１０１全体の動作を制御する制御プログラム１１２ａと制御データとを記憶している。ＣＰＵ１１３は、ＲＯＭ１１２内に記憶されている制御プログラム１１２ａに従って情報処理装置１０１全体の動作を制御する。入力装置１０２は、キーボード，マウスポインタ，テンキー等の入力装置によって構成され、情報処理装置１０１に対して各種情報を入力する際に操作される。出力装置１０３は、表示装置や印刷装置等の出力装置によって構成され、情報処理装置１０１の各種処理情報を出力する。データベース（ＤＢ）１０４は、後に詳述するコークス収縮量・性状（粒度）の予測のためのデータベース型モデルと、コークスの押出負荷の予測のためのデータベース型モデルと、を記憶している。
【００１９】
本実施形態では、コークスの押出負荷の評価指標として、図１に示す押出機７の押出ラム１０の駆動モータに流れる電流値のピーク値を用いる。押出過程の初期においては、押出ラム１０の位置変化はコークスケーキ内部の空隙によって吸収されるために、コークスの押出負荷は小さくなる。そして、コークスケーキ内部の空隙が小さくなると、コークスの押出負荷は静止摩擦力の最大値に向かって上昇していく。このコークスの押出負荷の最大値を押出ピークという。このように押出ピーク値は押詰まりに密接に関係していると考えられているので、本実施形態では押出ピーク値をコークスの押出負荷の評価指標とする。
【００２０】
〔データベースモデル〕
図３は、コークスの押出負荷を支配する因子の因果関係を示す図である。図３に示すように、コークスの押出負荷は、コークス収縮量及び性状（粒度）とコークス炉の炉壁の凹凸とにより支配されていると考えられる。さらに、コークス収縮量および性状（粒度）は、原料（成分、水分）、炉温、乾留時間、及び装炭量により支配されていると考えられる。また、炉壁の凹凸は、カーボン付着、炉壁削れ、及び炉壁張出しにより支配されていると考えられる。
【００２１】
そこで、本発明の一実施形態であるコークスの押出負荷の予測方法では、以下に説明するように、コークス収縮量・性状（粒度）の予測のためのデータベース型モデルとコークスの押出負荷の予測のためのデータベース型モデルとを用いてコークスの押出負荷を予測する。図４及び図５は、コークス収縮量・性状（粒度）の予測のためのデータベース型モデルおよびコークスの押出負荷の予測のためのデータベース型モデルのデータテーブルの例である。
【００２２】
図４に示されるように、本発明の一実施形態にかかるコークス収縮量・性状（粒度）の予測のためのデータベース型モデルは、原料の成分、原料の水分、乾留時間、炉温、及び装炭量を入力変数とし、コークスの収縮量とコークスの性状（粒度）を出力変数とするデータベース型モデルである。本発明の一実施形態であるコークスの押出負荷の予測方法では、オフラインでの実験によりデータを収集し、このコークス収縮量・性状（粒度）の予測のためのデータベース型モデルを作成する。例えば、実験用の小型の炭化室を構成し、原料配分の異なる多くの組み合わせにより乾留実験を行い、実験データを取得する方法が考えられる。このように、オフラインでの実験によりデータを用いる方が、実際の操業データを用いることよりも高精度なコークス収縮量・性状（粒度）の予測のためのデータベース型モデルを作成することができる。
【００２３】
図５に示されるように、本例のコークスの押出負荷の予測のためのデータベース型モデルは、コークスの収縮量、コークスの性状（粒度）、カーボン付着、炉壁削れ、及び炉壁張出を入力変数とし、コークスの押出負荷を出力変数とするデータベース型モデルである。上記入力変数のうち、コークスの収縮量及びコークスの性状（粒度）は、コークス収縮量・性状（粒度）の予測のためのデータベース型モデルの出力変数が入力変数として用いられる。一方、上記入力変数のうち、カーボン付着、炉壁削れ、及び炉壁張出は、実際の操業に用いられているコークス炉の炉壁状況を数値化して、入力変数として用いられる。また、本例のコークスの押出負荷の予測のためのデータベース型モデルは、コークス収縮量・性状（粒度）の予測のためのデータベース型モデルとは異なり、過去の操業データを用いてデータベース型モデルを作成する。
【００２４】
〔処理フロー〕
本発明の一実施形態であるコークスの押出負荷の予測方法は、上記のように作成したコークス収縮量・性状（粒度）の予測のためのデータベース型モデルおよびコークスの押出負荷の予測のためのデータベース型モデルを用いて、コークスの押出負荷を予測するものである。以下、図６および図７を参照しながら、上記のように作成したコークス収縮量・性状（粒度）の予測のためのデータベース型モデルおよびコークスの押出負荷の予測のためのデータベース型モデルを用いた本発明の一実施形態であるコークスの押出負荷の予測方法について説明する。
【００２５】
図６は、本発明の一実施形態であるコークスの押出負荷の予測方法を示すフローチャートである。図６に示されるように、本発明の一実施形態であるコークスの押出負荷の予測方法は、コークス炉の現在の操業情報として、原料の成分、原料の水分、乾留時間、炉温、及び装炭量を取得することにより開始される（ステップＳ１）。この現在の操業情報を取得する方法としては、オペレータが入力装置１０２により入力する方法、または、情報処理装置１０１がコークス炉１の操業スケジュールにかかるデータベース１０４を参照する方法などが利用可能である。
【００２６】
次に、本発明の一実施形態であるコークスの押出負荷の予測方法では、情報処理装置１０１がコークス収縮量・性状（粒度）の予測のためのデータベース型モデルを参照する（ステップＳ２）。そして、情報処理装置１０１は、ステップＳ１にて取得した原料の成分、原料の水分、乾留時間、炉温、及び装炭量を入力変数として、コークスの収縮量とコークスの性状（粒度）を予測する（ステップＳ３）。
【００２７】
一方、本発明の一実施形態であるコークスの押出負荷の予測方法では、コークス炉１の炉壁の情報としてカーボン付着、炉壁削れ、及び炉壁張出を、オペレータが目視またはカメラ撮像により測定し、この炉壁の情報を入力装置１０２により情報処理装置１０１に入力する（ステップＳ４）。
【００２８】
その後、本発明の一実施形態であるコークスの押出負荷の予測方法では、情報処理装置１０１が、コークスの押出負荷の予測のためのデータベース型モデルを参照し（ステップＳ５）、ステップＳ３により得られたコークスの収縮量とコークスの性状（粒度）と、およびステップＳ４により得られたカーボン付着、炉壁削れ、及び炉壁張出を入力変数として、コークスの押出負荷を予測する（ステップＳ６）。このように予測されたコークスの押出負荷は、以下、図７を参照して詳述するようにコークス炉１の操業スケジュールの決定に反映される（ステップＳ７）。
【００２９】
図７は、予測されたコークスの押出負荷に基づき判断を行う操業スケジュールの変更方法を示すフローチャートである。図７に示されるように、この操業スケジュールの変更および炉壁の補修の方法は、予測されたコークスの押出負荷が設定値以上であるか否かの判断が最初に実行される（ステップＳ７１）。コークスの押出負荷が設定値以下である場合（ステップＳ７１：Ｎｏ）、コークスの押出しに際して押詰まりが発生しないと判断し、操業スケジュールを変更することなく、この処理フローが終了される。
【００３０】
一方、コークスの押出負荷が設定値以上である場合（ステップＳ７１：Ｙｅｓ）、情報処理装置１０１が、コークスの押出しに際して押詰まりが発生する可能性が高いと判断し、乾留時間を変更してコークスの押出負荷の予測の再計算を行う（ステップＳ７２）。すなわち、変更された乾留時間を用いて、情報処理装置１０１が、上記ステップＳ２からステップＳ６までの処理を再実行する。
【００３１】
再計算の後、再計算によるコークスの押出負荷が設定値以上であるか否かの判断が再度実行される（ステップＳ７３）。この再計算によるコークスの押出負荷も設定値以上である場合（ステップＳ７３：Ｙｅｓ）、操業スケジュールの変更では押詰まりを回避することができないので、コークス炉１の炉壁の補修を行うように判断する（ステップＳ７６）。
【００３２】
一方、この再計算によるコークスの押出負荷が設定値以下である場合（ステップＳ７３：Ｎｏ）、このコークスの押出負荷が設定値以下となった予測の基礎となった乾留時間が操業の許容範囲内であるか否かを判断する（ステップＳ７４）。この乾留時間が操業の許容範囲内でない場合（ステップＳ７４：Ｎｏ）、この場合もコークス炉１の炉壁の補修を行うように判断する（ステップＳ７６）。
【００３３】
乾留時間が操業の許容範囲内である場合（ステップＳ７４：Ｙｅｓ）、操業スケジュールの変更により押詰まりを回避することができるので、この乾留時間を新たな操業スケジュールとしてスケジュールの変更を行い（ステップＳ７５）、この処理フローを終了する。
【００３４】
以上より、本発明の実施形態にかかるコークスの押出負荷の予測方法は、オフラインでの実験により作成したデータベース型モデルに、現在のコークス炉の操業情報を入力し、コークスの収縮量およびコークスの粒度を予測するコークスの収縮量・粒度予測ステップと、過去の操業データにより作成したデータベース型モデルに、コークスの収縮量・粒度予測ステップにより得られたコークスの収縮量およびコークスの粒度と、コークス炉の炉壁状況を数値化したものとを入力し、コークスの押出負荷を予測する押出負荷予測ステップとを有するので、コークスの押詰まりに関する定量的判断をすることができる。
【００３５】
特に、本発明の実施形態にかかるコークスの押出負荷の予測方法は、現在のコークス炉の操業情報として、原料の成分、原料の水分、乾留時間、炉温、及び装炭量を含み、コークス炉の炉壁状況は、実際の操業に用いられているコークス炉のカーボン付着、炉壁削れ、及び炉壁張出を含むので、正確な定量的判断をすることができる。
【００３６】
本発明の実施形態にかかる操業スケジュールの決定方法は、上記コークスの押出負荷の予測方法によりコークスの押出負荷の予測をするステップと、コークスの押出負荷の予測の基礎となった乾留時間を変更してコークスの押出負荷の予測の再計算を行うステップと、再計算によるコークスの押出負荷が所定値以下、且つ、前記再計算の基礎となった乾留時間が許容範囲内である場合に、その乾留時間を新たな操業スケジュールとしてスケジュールの変更を行うステップとを含むので、コークスの押詰まりに関する定量的判断に基づいて、オペレータの判断に依存しないコークス炉の操業を行うことができる。
【００３７】
以上、発明を適用した実施形態について説明したが、本実施形態による本発明の開示の一部をなす記述及び図面により本発明は限定されることはない。すなわち、本実施形態に基づいて当業者などによりなされる他の実施の形態、実施例及び運用技術などは全て本発明の範疇に含まれる。
【符号の説明】
【００３８】
１  コークス炉
２  炭化室
３  燃焼室
４  上昇管
５  装炭口
６  装炭車
７  押出機
８  ガイド車
９  消火車
１０  押出ラム
１００  コークス押出力予測装置
１０１  情報処理装置
１０２  入力装置
１０３  出力装置
１０４  データベース（ＤＢ）
１１１  ＲＡＭ
１１２  ＲＯＭ
１１２ａ  制御プログラム
１１３  ＣＰＵ
【図１】
2013112714.tif 000003
【図２】
2013112714.tif 000004
【図３】
2013112714.tif 000005
【図４】
2013112714.tif 000006
【図５】
2013112714.tif 000007
【図６】
2013112714.tif 000008
【図７】
2013112714.tif 000009